(57)【特許請求の範囲】
【請求項１】
画像データの印刷を受け付ける画像出力受付端末、前記画像データに紐付く動画像データを保管する動画像データ保管サーバ、および携帯端末がネットワークを介して接続される画像出力システムにおいて、
前記画像出力受付端末は、
前記携帯端末または記憶媒体に記憶されている前記動画像データの入力を制御する入力制御手段と、
前記動画像データを動画ブロックに分割する分割手段と、
前記分割手段で分割された前記動画ブロック毎に代表画像を決定し、複数の前記代表画像の一覧を表示し、さらに、前記動画ブロック毎に前記代表画像の切り替えを受け付け、受け付けた場合に前記代表画像を切り替える表示制御手段と、
一覧表示されている前記代表画像から、複数の前記代表画像の選択を受け付け、受け付けた前記代表画像に紐付く前記動画ブロックの再生範囲を紐付け情報とし、前記動画像データおよび前記紐付け情報を、前記ネットワークを介して前記動画像データ保管サーバに送信し、前記動画像データ保管サーバから、前記動画像データおよび前記紐付け情報の保管場所に関するデータを受信して管理する紐付け情報管理手段と、
前記紐付け情報管理手段で受信された前記動画像データおよび前記紐付け情報の保管場所に関するデータをコード化し、コード化した保管場所に関するデータを前記代表画像のデータに埋め込むコード化手段と、
前記保管場所に関するデータが埋め込まれた複数の前記代表画像のデータを、フォトブックとして印刷する印刷実行手段と、を備え、
前記動画ブロックの再生範囲である開始位置および終了位置の設定を自由に受け付ける再生範囲設定手段をさらに備え、
前記動画像データ保管サーバは、
前記画像出力受付端末から受信した前記動画像データおよび前記紐付け情報を記憶する紐付け情報記憶手段と、
前記動画像データおよび前記紐付け情報の保管場所に関するデータを、前記画像出力受付端末に返信する返信手段と、を備え、
前記携帯端末は、
前記画像出力受付端末の印刷実行手段により印刷された前記フォトブックの画像のコードを撮影する撮影手段と、
前記撮影手段により撮影された前記コードを読み取り、前記コードに示された前記動画像データおよび前記紐付け情報の保管場所に関するデータに基づいて前記動画像データ保管サーバにアクセスし、前記動画像データおよび前記紐付け情報を受信する受信手段と、
前記受信手段により受信された前記動画像データを前記紐付け情報に基づいて出力する出力手段と、を備えることを特徴とする画像出力システム。
【請求項２】
画像データの印刷を受け付ける画像出力受付端末、前記画像データに紐付く動画像データを保管する動画像データ保管サーバ、および携帯端末がネットワークを介して接続される画像出力システムの画像出力方法において、
前記画像出力受付端末は、
前記携帯端末または記憶媒体に記憶されている前記動画像データの入力を制御する入力制御ステップと、
前記動画像データを動画ブロックに分割する分割ステップと、
前記分割ステップの処理で分割された前記動画ブロック毎に代表画像を決定し、複数の前記代表画像の一覧を表示し、さらに、前記動画ブロック毎に前記代表画像の切り替えを受け付け、受け付けた場合に前記代表画像を切り替える表示制御ステップと、
一覧表示されている前記代表画像から、複数の前記代表画像の選択を受け付け、受け付けた前記代表画像に紐付く前記動画ブロックの再生範囲を紐付け情報とし、前記動画像データおよび前記紐付け情報を、前記ネットワークを介して前記動画像データ保管サーバに送信し、前記動画像データ保管サーバから、前記動画像データおよび前記紐付け情報の保管場所に関するデータを受信して管理する紐付け情報管理ステップと、
前記紐付け情報管理ステップの処理で受信された前記動画像データおよび前記紐付け情報の保管場所に関するデータをコード化し、コード化した保管場所に関するデータを前記代表画像のデータに埋め込むコード化ステップと、
前記保管場所に関するデータが埋め込まれた複数の前記代表画像のデータを、フォトブックとして印刷する印刷実行ステップと、を含み、
前記動画ブロックの再生範囲である開始位置および終了位置の設定を自由に受け付ける再生範囲設定ステップをさらに含み、
前記動画像データ保管サーバは、
前記画像出力受付端末から受信した前記動画像データおよび前記紐付け情報を記憶する紐付け情報記憶ステップと、
前記動画像データおよび前記紐付け情報の保管場所に関するデータを、前記画像出力受付端末に返信する返信ステップと、を含み、
前記携帯端末は、
前記画像出力受付端末の印刷実行ステップの処理で印刷された前記フォトブックの画像のコードを撮影する撮影ステップと、
前記撮影ステップの処理で撮影された前記コードを読み取り、前記コードに示された前記動画像データおよび前記紐付け情報の保管場所に関するデータに基づいて前記動画像データ保管サーバにアクセスし、前記動画像データおよび前記紐付け情報を受信する受信ステップと、
前記受信ステップで受信された前記動画像データを前記紐付け情報に基づいて出力する出力ステップと、を含むことを特徴とする画像出力方法。
【請求項３】
携帯端末または記憶媒体に記憶されている動画像データの入力を制御する入力制御手段と、
前記動画像データを動画ブロックに分割する分割手段と、
前記分割手段で分割された前記動画ブロック毎に代表画像を決定し、複数の前記代表画像の一覧を表示し、さらに、前記動画ブロック毎に前記代表画像の切り替えを受け付け、受け付けた場合に前記代表画像を切り替える表示制御手段と、
一覧表示されている前記代表画像から、複数の前記代表画像の選択を受け付け、受け付けた前記代表画像に紐付く前記動画ブロックの再生範囲を紐付け情報とし、前記動画像データおよび前記紐付け情報を、ネットワークを介して動画像データ保管サーバに送信し、前記動画像データ保管サーバから、前記動画像データおよび前記紐付け情報の保管場所に関するデータを受信して管理する紐付け情報管理手段と、
前記紐付け情報管理手段で受信された前記動画像データおよび前記紐付け情報の保管場所に関するデータをコード化し、コード化した保管場所に関するデータを前記代表画像のデータに埋め込むコード化手段と、
前記保管場所に関するデータが埋め込まれた複数の前記代表画像のデータを、フォトブックとして印刷する印刷実行手段と、
を備え、
前記動画ブロックの再生範囲である開始位置および終了位置の設定を自由に受け付ける再生範囲設定手段をさらに備えることを特徴とする画像出力受付端末。
【請求項４】
携帯端末または記憶媒体に記憶されている動画像データの入力を制御する入力制御ステップと、
前記動画像データを動画ブロックに分割する分割ステップと、
前記分割ステップの処理で分割された前記動画ブロック毎に代表画像を決定し、複数の前記代表画像の一覧を表示し、さらに、前記動画ブロック毎に前記代表画像の切り替えを受け付け、受け付けた場合に前記代表画像を切り替える表示制御ステップと、
一覧表示されている前記代表画像から、複数の前記代表画像の選択を受け付け、受け付けた前記代表画像に紐付く前記動画ブロックの再生範囲を紐付け情報とし、前記動画像データおよび前記紐付け情報を、ネットワークを介して動画像データ保管サーバに送信し、前記動画像データ保管サーバから、前記動画像データおよび前記紐付け情報の保管場所に関するデータを受信して管理する紐付け情報管理ステップと、
前記紐付け情報管理ステップの処理で受信された前記動画像データおよび前記紐付け情報の保管場所に関するデータをコード化し、コード化した保管場所に関するデータを前記代表画像のデータに埋め込むコード化ステップと、
前記保管場所に関するデータが埋め込まれた複数の前記代表画像のデータを、フォトブックとして印刷する印刷実行ステップと、
を含み、
前記動画ブロックの再生範囲である開始位置および終了位置の設定を自由に受け付ける再生範囲設定ステップをさらに含む処理をコンピュータに実行させるためのプログラム。
【請求項５】
携帯端末または記憶媒体に記憶されている動画像データの入力を制御する入力制御手段と、
前記動画像データを動画ブロックに分割する分割手段と、
前記分割手段で分割された前記動画ブロック毎に代表画像を決定し、複数の前記代表画像の一覧を表示し、さらに、前記動画ブロック毎に前記代表画像の切り替えを受け付け、受け付けた場合に前記代表画像を切り替える表示制御手段と、
一覧表示されている前記代表画像から、複数の前記代表画像の選択を受け付け、受け付けた前記代表画像に紐付く前記動画ブロックの再生範囲を紐付け情報とし、前記動画像データおよび前記紐付け情報を、メモリチップに書き込む書き込み手段と、
前記メモリチップの記憶部における前記動画像データおよび前記紐付け情報の保管場所に関するデータをコード化し、コード化した保管場所に関するデータを前記代表画像のデータに埋め込むコード化手段と、
前記保管場所に関するデータが埋め込まれた複数の前記代表画像のデータを、フォトブックとして印刷する印刷実行手段と、
を備え、
前記動画ブロックの再生範囲である開始位置および終了位置の設定を自由に受け付ける再生範囲設定手段をさらに備え、
前記印刷実行手段により印刷された前記フォトブックに前記メモリチップを収納して、利用者に提供することを特徴とする画像出力受付端末。
【請求項６】
携帯端末または記憶媒体に記憶されている動画像データの入力を制御する入力制御ステップと、
前記動画像データを動画ブロックに分割する分割ステップと、
前記分割ステップの処理で分割された前記動画ブロック毎に代表画像を決定し、複数の前記代表画像の一覧を表示し、さらに、前記動画ブロック毎に前記代表画像の切り替えを受け付け、受け付けた場合に前記代表画像を切り替える表示制御ステップと、
一覧表示されている前記代表画像から、複数の前記代表画像の選択を受け付け、受け付けた前記代表画像に紐付く前記動画ブロックの再生範囲を紐付け情報とし、前記動画像データおよび前記紐付け情報を、メモリチップに書き込む書き込みステップと、
前記メモリチップの記憶部における前記動画像データおよび前記紐付け情報の保管場所に関するデータをコード化し、コード化した保管場所に関するデータを前記代表画像のデータに埋め込むコード化ステップと、
前記保管場所に関するデータが埋め込まれた複数の前記代表画像のデータを、フォトブックとして印刷する印刷実行ステップと、
を含み、
前記動画ブロックの再生範囲である開始位置および終了位置の設定を自由に受け付ける再生範囲設定ステップをさらに含む処理をコンピュータに実行させるためのプログラム。
【発明の詳細な説明】
【技術分野】
【０００１】
本発明は、画像データの印刷を行う画像出力システムおよび画像出力方法、並びに、画像出力受付端末およびプログラム等に関するものである。
【背景技術】
【０００２】
近年、利用者が所有する記憶媒体に記憶されている画像データの印刷を行う画像出力システムが広く普及している。利用者は、画像出力システムの画像出力受付端末を操作することにより、デジタルカメラ等で撮影した画像を印刷することができる。
【０００３】
例えば、特許文献１には、ユーザが写真プリントをただ見て楽しむだけでなく、その写真プリントに関連する動画像を容易に再生して楽しめるようにするプリントサービスが提案されている。
【先行技術文献】
【特許文献】
【０００４】
【特許文献１】特開２００５−１９８０６３号公報
【発明の概要】
【発明が解決しようとする課題】
【０００５】
一般に、ビデオカメラやデジタルカメラに搭載された動画機能を用いて、動画像の撮影が行われているが、撮影後は、編集することはもとより、再生すらほとんど行われないのが現状である。
【０００６】
つまりは、特別なイベントには、動きや音を残しておきたいがゆえに、動画像撮影が行われるものの、撮影後は、ほとんど再生されないため、動画像の中身がわからなくなってしまう。従って、結果的には、静止画像を元に作成されたフォトブックの方が、気軽に見ることができることになる。
【０００７】
特許文献１の技術では、写真プリントに関連する動画像を再生することができるものの、フォトブックに含まれる複数の写真ごとに動画像を再生するような仕組みは開示されていない。
【０００８】
本発明は、前述した問題点に鑑みてなされたもので、その目的とすることは、後日、フォトブックに含まれる複数の写真ごとに適切な動画像を再生可能な画像出力システム等を提供することである。
【課題を解決するための手段】
【０００９】
前述した目的を達成するために、第１の発明は、画像データの印刷を受け付ける画像出力受付端末、前記画像データに紐付く動画像データを保管する動画像データ保管サーバ、および携帯端末がネットワークを介して接続される画像出力システムにおいて、前記画像出力受付端末は、前記携帯端末または記憶媒体に記憶されている前記動画像データの入力を制御する入力制御手段と、前記動画像データを動画ブロックに分割する分割手段と、前記分割手段で分割された前記動画ブロック毎に代表画像を決定し、複数の前記代表画像の一覧を表示し、さらに、前記動画ブロック毎に前記代表画像の切り替えを受け付け、受け付けた場合に前記代表画像を切り替える表示制御手段と、一覧表示されている前記代表画像から、複数の前記代表画像の選択を受け付け、受け付けた前記代表画像に紐付く前記動画ブロックの再生範囲を紐付け情報とし、前記動画像データおよび前記紐付け情報を、前記ネットワークを介して前記動画像データ保管サーバに送信し、前記動画像データ保管サーバから、前記動画像データおよび前記紐付け情報の保管場所に関するデータを受信して管理する紐付け情報管理手段と、前記紐付け情報管理手段で受信された前記動画像データおよび前記紐付け情報の保管場所に関するデータをコード化し、コード化した保管場所に関するデータを前記代表画像のデータに埋め込むコード化手段と、前記保管場所に関するデータが埋め込まれた複数の前記代表画像のデータを、フォトブックとして印刷する印刷実行手段と、を備え、前記動画ブロックの再生範囲である開始位置および終了位置の設定を自由に受け付ける再生範囲設定手段をさらに備え、前記動画像データ保管サーバは、前記画像出力受付端末から受信した前記動画像データおよび前記紐付け情報を記憶する紐付け情報記憶手段と、前記動画像データおよび前記紐付け情報の保管場所に関するデータを、前記画像出力受付端末に返信する返信手段と、を備え、前記携帯端末は、前記画像出力受付端末の印刷実行手段により印刷された前記フォトブックの画像のコードを撮影する撮影手段と、前記撮影手段により撮影された前記コードを読み取り、前記コードに示された前記動画像データおよび前記紐付け情報の保管場所に関するデータに基づいて前記動画像データ保管サーバにアクセスし、前記動画像データおよび前記紐付け情報を受信する受信手段と、前記受信手段により受信された前記動画像データを前記紐付け情報に基づいて出力する出力手段と、を備えることを特徴とする画像出力システムである。
第１の発明によって、プリント対象として動画像データの代表画像を選択し、選択された代表画像毎に動画像データの再生範囲を紐付け、その紐付け情報と動画像データの保管場所に関するデータをコード化し、代表画像にコードとして埋め込み、代表画像をフォトブックとして印刷することができる。また利用者は、フォトブックの画像上に印刷されたコードを撮影することにより、動画像データおよび紐付け情報の保管場所に関するデータを読み取り、動画像データおよび紐付け情報を動画像データ保管サーバから受信し、再生範囲の動画像データを出力することができる。また、余計なシーンを省いて、お気に入りのシーンのみを手軽に再生することができる。
【００１０】
第２の発明は、画像データの印刷を受け付ける画像出力受付端末、前記画像データに紐付く動画像データを保管する動画像データ保管サーバ、および携帯端末がネットワークを介して接続される画像出力システムの画像出力方法において、
前記画像出力受付端末は、前記携帯端末または記憶媒体に記憶されている前記動画像データの入力を制御する入力制御ステップと、前記動画像データを動画ブロックに分割する分割ステップと、前記分割ステップの処理で分割された前記動画ブロック毎に代表画像を決定し、複数の前記代表画像の一覧を表示し、さらに、前記動画ブロック毎に前記代表画像の切り替えを受け付け、受け付けた場合に前記代表画像を切り替える表示制御ステップと、一覧表示されている前記代表画像から、複数の前記代表画像の選択を受け付け、受け付けた前記代表画像に紐付く前記動画ブロックの再生範囲を紐付け情報とし、前記動画像データおよび前記紐付け情報を、前記ネットワークを介して前記動画像データ保管サーバに送信し、前記動画像データ保管サーバから、前記動画像データおよび前記紐付け情報の保管場所に関するデータを受信して管理する紐付け情報管理ステップと、前記紐付け情報管理ステップの処理で受信された前記動画像データおよび前記紐付け情報の保管場所に関するデータをコード化し、コード化した保管場所に関するデータを前記代表画像のデータに埋め込むコード化ステップと、前記保管場所に関するデータが埋め込まれた複数の前記代表画像のデータを、フォトブックとして印刷する印刷実行ステップと、を含み、前記動画ブロックの再生範囲である開始位置および終了位置の設定を自由に受け付ける再生範囲設定ステップをさらに含み、
前記動画像データ保管サーバは、前記画像出力受付端末から受信した前記動画像データおよび前記紐付け情報を記憶する紐付け情報記憶ステップと、前記動画像データおよび前記紐付け情報の保管場所に関するデータを、前記画像出力受付端末に返信する返信ステップと、を含み、前記携帯端末は、前記画像出力受付端末の印刷実行ステップの処理で印刷された前記フォトブックの画像のコードを撮影する撮影ステップと、前記撮影ステップの処理で撮影された前記コードを読み取り、前記コードに示された前記動画像データおよび前記紐付け情報の保管場所に関するデータに基づいて前記動画像データ保管サーバにアクセスし、前記動画像データおよび前記紐付け情報を受信する受信ステップと、前記受信ステップで受信された前記動画像データを前記紐付け情報に基づいて出力する出力ステップと、を含むことを特徴とする画像出力方法である。
第２の発明によって、プリント対象として動画像データの代表画像を選択し、選択された代表画像毎に動画像データの再生範囲を紐付け、その紐付け情報と動画像データの保管場所に関するデータをコード化し、代表画像にコードとして埋め込み、代表画像をフォトブックとして印刷することができる。また利用者は、フォトブックの画像上に印刷されたコードを撮影することにより、動画像データおよび紐付け情報の保管場所に関するデータを読み取り、動画像データおよび紐付け情報を動画像データ保管サーバから受信し、再生範囲の動画像データを出力することができる。また、余計なシーンを省いて、お気に入りのシーンのみを手軽に再生することができる。
【００１１】
第３の発明は、携帯端末または記憶媒体に記憶されている動画像データの入力を制御する入力制御手段と、前記動画像データを動画ブロックに分割する分割手段と、前記分割手段で分割された前記動画ブロック毎に代表画像を決定し、複数の前記代表画像の一覧を表示し、さらに、前記動画ブロック毎に前記代表画像の切り替えを受け付け、受け付けた場合に前記代表画像を切り替える表示制御手段と、一覧表示されている前記代表画像から、複数の前記代表画像の選択を受け付け、受け付けた前記代表画像に紐付く前記動画ブロックの再生範囲を紐付け情報とし、前記動画像データおよび前記紐付け情報を、ネットワークを介して動画像データ保管サーバに送信し、前記動画像データ保管サーバから、前記動画像データおよび前記紐付け情報の保管場所に関するデータを受信して管理する紐付け情報管理手段と、前記紐付け情報管理手段で受信された前記動画像データおよび前記紐付け情報の保管場所に関するデータをコード化し、コード化した保管場所に関するデータを前記代表画像のデータに埋め込むコード化手段と、前記保管場所に関するデータが埋め込まれた複数の前記代表画像のデータを、フォトブックとして印刷する印刷実行手段と、を備え、前記動画ブロックの再生範囲である開始位置および終了位置の設定を自由に受け付ける再生範囲設定手段をさらに備えることを特徴とする画像出力受付端末である。
第３の発明によって、プリント対象として動画像データの代表画像を選択し、選択された代表画像毎に動画像データの再生範囲を紐付け、その紐付け情報と動画像データの保管場所に関するデータをコード化し、代表画像にコードとして埋め込み、代表画像をフォトブックとして印刷することができる。また、余計なシーンを省いて、お気に入りのシーンのみを手軽に再生することができる。
【００１３】
第４の発明は、携帯端末または記憶媒体に記憶されている動画像データの入力を制御する入力制御ステップと、前記動画像データを動画ブロックに分割する分割ステップと、前記分割ステップの処理で分割された前記動画ブロック毎に代表画像を決定し、複数の前記代表画像の一覧を表示し、さらに、前記動画ブロック毎に前記代表画像の切り替えを受け付け、受け付けた場合に前記代表画像を切り替える表示制御ステップと、一覧表示されている前記代表画像から、複数の前記代表画像の選択を受け付け、受け付けた前記代表画像に紐付く前記動画ブロックの再生範囲を紐付け情報とし、前記動画像データおよび前記紐付け情報を、ネットワークを介して動画像データ保管サーバに送信し、前記動画像データ保管サーバから、前記動画像データおよび前記紐付け情報の保管場所に関するデータを受信して管理する紐付け情報管理ステップと、前記紐付け情報管理ステップの処理で受信された前記動画像データおよび前記紐付け情報の保管場所に関するデータをコード化し、コード化した保管場所に関するデータを前記代表画像のデータに埋め込むコード化ステップと、前記保管場所に関するデータが埋め込まれた複数の前記代表画像のデータを、フォトブックとして印刷する印刷実行ステップと
、を含み、前記動画ブロックの再生範囲である開始位置および終了位置の設定を自由に受け付ける再生範囲設定ステップをさらに含む処理をコンピュータに実行させるためのプログラムである。
第４の発明に係るプログラムをコンピュータにインストールすることで、第３の発明に係る画像出力受付端末を得ることができる。
【００１４】
第５の発明は、携帯端末または記憶媒体に記憶されている動画像データの入力を制御する入力制御手段と、前記動画像データを動画ブロックに分割する分割手段と、前記分割手段で分割された前記動画ブロック毎に代表画像を決定し、複数の前記代表画像の一覧を表示し、さらに、前記動画ブロック毎に前記代表画像の切り替えを受け付け、受け付けた場合に前記代表画像を切り替える表示制御手段と、一覧表示されている前記代表画像から、複数の前記代表画像の選択を受け付け、受け付けた前記代表画像に紐付く前記動画ブロックの再生範囲を紐付け情報とし、前記動画像データおよび前記紐付け情報を、メモリチップに書き込む書き込み手段と、前記メモリチップの記憶部における前記動画像データおよび前記紐付け情報の保管場所に関するデータをコード化し、コード化した保管場所に関するデータを前記代表画像のデータに埋め込むコード化手段と、前記保管場所に関するデータが埋め込まれた複数の前記代表画像のデータを、フォトブックとして印刷する印刷実行手段と、を備え、前記動画ブロックの再生範囲である開始位置および終了位置の設定を自由に受け付ける再生範囲設定手段をさらに備え、前記印刷実行手段により印刷された前記フォトブックに前記メモリチップを収納して、利用者に提供することを特徴とする画像出力受付端末である。
第５の発明によって、プリント対象として動画像データの代表画像を選択し、選択された代表画像毎に動画像データの再生範囲を紐付け、その紐付け情報と動画像データの保管場所に関するデータをコード化し、代表画像にコードとして埋め込み、代表画像をフォトブックとして印刷することができる。また、余計なシーンを省いて、お気に入りのシーンのみを手軽に再生することができる。
【００１６】
第６の発明は、携帯端末または記憶媒体に記憶されている動画像データの入力を制御する入力制御ステップと、前記動画像データを動画ブロックに分割する分割ステップと、前記分割ステップの処理で分割された前記動画ブロック毎に代表画像を決定し、複数の前記代表画像の一覧を表示し、さらに、前記動画ブロック毎に前記代表画像の切り替えを受け付け、受け付けた場合に前記代表画像を切り替える表示制御ステップと、一覧表示されている前記代表画像から、複数の前記代表画像の選択を受け付け、受け付けた前記代表画像に紐付く前記動画ブロックの再生範囲を紐付け情報とし、前記動画像データおよび前記紐付け情報を、メモリチップに書き込む書き込みステップと、前記メモリチップの記憶部における前記動画像データおよび前記紐付け情報の保管場所に関するデータをコード化し、コード化した保管場所に関するデータを前記代表画像のデータに埋め込むコード化ステップと、前記保管場所に関するデータが埋め込まれた複数の前記代表画像のデータを、フォトブックとして印刷する印刷実行ステップと、を含み、前記動画ブロックの再生範囲である開始位置および終了位置の設定を自由に受け付ける再生範囲設定ステップをさらに含む処理をコンピュータに実行させるためのプログラムである。
第６の発明に係るプログラムをコンピュータにインストールすることで、第５の発明に係る画像出力受付端末を得ることができる。
【発明の効果】
【００１７】
本発明により、後日、フォトブックに含まれる複数の写真ごとに適切な動画像を再生可能な画像出力システムおよび画像出力方法、並びに、画像出力受付端末およびプログラムを提供することができる。
【図面の簡単な説明】
【００１８】
【図１】本発明の実施の形態としての画像出力システムの構成例を示す図である。
【図２】画像出力受付端末の外観斜視図である。
【図３】図２は、画像出力受付端末のハードウエアの構成例を示すブロック図である。
【図４】製本機のハードウエアの構成例を示すブロック図である。
【図５】画像出力受付端末内のコンピュータの機能構成例を示すブロック図である。
【図６】動画像データ保管サーバのハードウエアの構成例を示すブロック図である。
【図７】携帯端末のハードウエアの構成例を示すブロック図である。
【図８】第１の実施の形態に係る画像出力受付端末の処理を説明するフローチャートである。
【図９】一覧画面の表示例を示す図である。
【図１０】再生範囲設定画面の表示例を示す図である。
【図１１】動画像データ保管サーバの処理について説明するフローチャートである。
【図１２】第１の実施の形態に係る携帯端末の処理について説明するフローチャートである。
【図１３】第２の実施の形態に係る画像出力受付端末の処理を説明するフローチャートである。
【図１４】第２の実施の形態に係る携帯端末の処理について説明するフローチャートである。
【発明を実施するための形態】
【００１９】
以下、図面に基づいて、本発明の実施形態を詳細に説明する。
【００２０】
［本発明の第１の実施の形態］
図１は、本発明の実施の形態としての画像出力システムの構成例を示す図である。
【００２１】
図１に示すように、画像出力システムは、画像出力受付端末１、画像データ保管サーバ２、動画像データ保管サーバ３、および携帯端末４が、ネットワーク５を介して相互に接続されることで構成される。なお、画像出力受付端末１、画像データ保管サーバ２、動画像データ保管サーバ３、および携帯端末４の数は、任意であり、それぞれ複数設けることも勿論可能である。
【００２２】
画像出力受付端末１は、店頭において、携帯端末４や記憶媒体６に記憶されている画像データの印刷注文を受け付け、印刷を行う端末である。画像出力受付端末１は、動画像データが記憶された携帯端末４や記憶媒体６から動画像データを取得し、内部に保持したり、ネットワーク５を介して画像データ保管サーバ２へ送信し、そこに保存させたりする。
【００２３】
画像出力受付端末１は、動画像データの代表画像の印刷指示を受け付けた場合、動画像データの代表画像に紐付ける情報（例えば、代表画像を含む前後数秒分の再生範囲を示す情報）を、動画像データとともに、ネットワーク５を介して動画像データ保管サーバ３に送信し、そこに保管させる。以下、動画像データに紐付ける情報を、単に「紐付け情報」と称する。
【００２４】
そして、画像出力受付端末１は、動画像データ保管サーバ３からネットワーク５を介して、動画像データおよび紐付け情報の保管場所に関するデータ（例えば、URL（Uniform Resource Locator））を受信する。
【００２５】
例えば、動画像データは、画像出力受付端末１に取り込まれた際、いくつかの動画ブロックに分割され、動画ブロック毎（複数の静止画像毎）に代表画像が決められる。従って、動画ブロック毎の代表画像が一覧表示されている画面で、利用者が、所望の代表画像を選択して印刷指示した場合、その代表画像に関する動画ブロックを、動画像データの紐付け情報として、動画像データとともにネットワーク５を介して動画像データ保管サーバ３に送信し、そこに保管させる。
【００２６】
画像出力受付端末１は、動画像データ保管サーバ３から受信した動画像データおよび紐付け情報の保管場所に関するデータをコード化し、コード化した保管場所に関するデータ（例えば、ＱＲコード（登録商標）や電子透かし等）を、印刷データ（代表画像データ）に埋め込む。画像出力受付端末１は、動画像データおよび紐付け情報の保管場所に関するデータが埋め込まれた印刷データを印刷し、印刷物７として提供する。
【００２７】
画像データ保管サーバ２は、例えば、コンピュータ等であり、画像出力受付端末１や携帯端末４からネットワーク５を介して送信されてきた画像データや動画像データを保管する外部記憶装置として機能する。また画像データ保管サーバ２は、利用者の自宅等に設置されているパーソナルコンピュータ（図示せず）からネットワーク５を介して送信されてきた画像データや動画像データも保管する。
【００２８】
動画像データ保管サーバ３は、例えば、コンピュータ等であり、画像出力受付端末１からネットワーク５を介して送信されてきた動画像データおよび紐付け情報を保管する外部記憶装置として機能する。動画像データ保管サーバ３は、動画像データおよび紐付け情報の保管場所に関するデータを、ネットワーク５を介して画像出力受付端末１に返信する。
【００２９】
携帯端末４は、例えば、スマートフォン、iPhone（登録商標）、カメラ付き携帯電話機、ipad（登録商標）、携帯型パーソナルコンピュータ、携帯型ゲーム機等である。通信方法は、例えば、bluetooth（登録商標）、IR（赤外線通信）等である。携帯端末４は、内蔵カメラで撮影した画像データや動画像データ、画像データ保管サーバ２からネットワーク５を介して受信した画像データや動画像データを、画像出力受付端末１に転送し、印刷注文する。
【００３０】
携帯端末４は、印刷物７上に印刷されている、コード化した保管場所に関するデータを内蔵のデジタルカメラで撮影し、コードの内容（URL）を読み取る。そして、携帯端末４は、読み取ったコードの内容に基づいて、動画像データ保管サーバ３にアクセスし、動画像データおよび紐付け情報を受信し、出力する。
【００３１】
ネットワーク５は、インターネットやローカルエリアネットワーク（ＬＡＮ）等のネットワークであり、有線、無線は特に問わない。
【００３２】
記憶媒体６は、例えば、DVD-ROM／CD-ROM／CD-R／CD-RW、コンパクトフラッシュ（登録商標）、SD（Secure Digital）カード、ミニSDカード、マイクロSDカード、xD−ピクチャーカード、Smart Media（登録商標）、MEMORY STICK（登録商標）、USB（Universal Serial Bus）メモリ等である。
【００３３】
図１の例では、画像データ保管サーバ２と動画像データ保管サーバ３は、個々に図示されているが、筐体が単一または複数のいずれでもよく、サーバの管理主体が同一または別々のいずれでもよい。
【００３４】
図２は、画像出力受付端末１の外観斜視図である。
【００３５】
画像出力受付端末１の上部正面には、タッチパネル付ディスプレイ１１が配置されている。タッチパネル付ディスプレイ１１は、操作の案内、操作の状況、読み込んだ画像データ等を表示するとともに、利用者からの指示を受け付ける。利用者は、タッチパネル付ディスプレイ１１を介して、印刷注文する画像データの選択、画像データの画像処理の指示等を行う。
【００３６】
タッチパネル付ディスプレイ１１の下部には、メディア投入口１２および通信口１３が設けられている。メディア投入口１２は、各メディア（記憶媒体６）の挿入口であり、複数の挿入口が１箇所にまとめて配置されている。通信口１３は、携帯端末４と通信を行うための通信ポートであり、複数の通信ポート（赤外線ポートやWi-Fi通信アンテナやUSB（Universal
Serial Bus）ポートなど）が１箇所にまとめて配置されている。
【００３７】
画像出力受付端末１の下段部の前面板１４には、レシート取出口１５、硬貨投入口１６および紙幣挿入口１７のような料金投入口、つり銭返却口１８、印刷物取出口１９、ドア開閉キー２０、メンテナンスキー２１等が設けられている。
【００３８】
レシート取出口１５、硬貨投入口１６、紙幣挿入口１７、つり銭返却口１８は、利用者による印刷物の注文内容に応じた入金を要求する課金手段として機能する。利用者は、硬貨投入口１６に硬貨を投入したり、紙幣挿入口１７に紙幣を挿入したりすることにより、印刷物の料金を支払う。つり銭がある場合には、つり銭返却口１８から放出される。また、料金徴収後、徴収金額や注文内容等が印刷されたレシートがレシート取出口１５から放出される。
【００３９】
印刷物取出口１９には、画像出力受付端末１の筐体内に設置されるプリンタにより印刷された印刷物が排出される。ドア開閉キー２０は、画像出力受付端末１の前面板１４を開閉するためのキーである。メンテナンスキー２１は、利用者が画像出力受付端末１を利用可能な運転モードと、管理者が画像出力受付端末１のメンテナンスや設定、レシートの再印刷等を行う管理モードを切り替えるためのキーである。
【００４０】
次に、画像出力受付端末１の基本的動作について説明する。
【００４１】
画像出力受付端末１は、携帯端末４や記憶媒体６から読み込んだ画像データや動画像データを液晶ディスプレイ等のタッチパネル付ディスプレイ１１に表示する。利用者は、タッチパネル付ディスプレイ１１に設けられたタッチパネルにより、携帯端末４や記憶媒体６等から読み込んだ画像の中から印刷注文する画像を選択する。
【００４２】
本実施の形態において、印刷注文の内容には、「通常印刷」と「フォトブック」の２種類がある。「通常印刷」は、熱転写方式などで片面または両面に印画した用紙を出力する（通常の画像印刷を行う）ものである。「フォトブック」は、画像やテキストを熱転写方式などで片面または両面に印画した複数の用紙を用いて製本を行い、製本物を出力（提供）するものである。
【００４３】
利用者は、タッチパネル付ディスプレイ１１に表示された画面上で、印刷注文する画像を選択した後、印刷の実行を指示すると、画像出力受付端末１内のコンピュータが内部プリンタに画像データを転送する。
【００４４】
画像出力受付端末１は、利用者に印刷物の印刷注文に応じた料金を算出、表示し、必要に応じてレシートプリンタによりレシート（引換券）を発行し、利用者に支払いを要求する。画像出力受付端末１は、課金手段により利用者の入金が完了すると、印刷データの印刷を開始する。印刷された印刷物７は、印刷物取出口１９から排出され、利用者に提供される。
【００４５】
また画像出力受付端末１は、「フォトブック」を作成する場合、印刷された印刷物７を内部製本機に搬送し、印刷物を所定の製本方法で製本する。製本されたフォトブックは、図示せぬフォトブック取出口から排出され、利用者に提供される。
【００４６】
更に、本発明は、その場で印刷物７を受け取る場合に限られず、いわゆる「オンライン製本」にも適用可能である。「オンライン製本」とは、利用者などが所有するコンピュータから同様の手順によって印刷物の発注を行い、業者が印刷物を製本し、郵送によって印刷物を受け取るというものである。本発明を「オンライン製本」に適用する場合、後述する図８に示す処理を実行する為のプログラムを、利用者などが所有する汎用のコンピュータにインストールすることによって同様に実現することができる。すなわち、画像出力受付端末１とは、図８に示す処理を実行する為のプログラムがインストールされた汎用のコンピュータも含むものである。
【００４７】
なお、画像出力受付端末１は、料金算出、レシート（引換券）の発行を行うだけでなく、課金機を装備しているため、利用者に入金を要求して現金による課金処理を行うようにすることもできる。
【００４８】
図３は、画像出力受付端末１のハードウエアの構成例を示すブロック図である。
【００４９】
コンピュータ３０は、制御部３１、記憶部３２、入出力部３３、通信部３４等から構成され、各種メディア読取部４１、通信部４２、モニタ４４、コインメック４５、ビルバリ４６、レシートジャーナル処理部４７、およびプリンタ４８、および製本機５０を制御する。
【００５０】
制御部３１は、プログラムの実行を行うCPU（Central processing Unit）と、プログラム命令あるいはデータ等を格納するためのRAM（Random Access Memory）、ROM（Read Only Memory）等で構成される。制御部３１は、記憶部３２等に格納されたプログラムに従って、バス３５を介して接続された各装置を制御する。
【００５１】
記憶部３２には、制御部３１が実行するプログラム、プログラム実行に必要なデータ、OS（Operating System）等が格納される。プログラムは、例えば、画像入力プログラム、課金処理プログラム、レシート印刷処理プログラム、保守プログラム等である。データは、例えば、画像データ、動画像データ、印刷データ等である。
【００５２】
プログラムのコードは、制御部３１により必要に応じて読み出され、RAMに移され、CPUに読み出されて各種機能として実行される。
【００５３】
入出力部３３は、記憶部３２に格納されているプログラム等の更新や、画像出力受付端末１の設定等を行うメンテナンス時に用いられる。
【００５４】
通信部３４は、通信制御装置、通信ポート等を有し、画像出力受付端末１とネットワーク５間の通信を媒介する通信インターフェースである。通信部３４は、ネットワーク５を介して画像出力受付端末１と他の外部装置（画像データ保管サーバ２、動画像データ保管サーバ３）間の通信制御を行う。
【００５５】
各種メディア読取部４１は、メディア投入口１２の各メディアの挿入口に対応して画像出力受付端末１内部に設けられ、挿入された記憶媒体６に予め記憶されている画像データや動画像データを読み込む。通信部４２は、通信口１３の各通信ポートに対応して設置されており、通信中の携帯端末４に予め記憶されている画像データや動画像データを読み込む。
【００５６】
モニタ４４は、タッチパネル付ディスプレイ１１である。
【００５７】
コインメック４５、ビルバリ４６、レシートジャーナル処理部４７は、課金機能の役割を果たす。コインメック４５は、硬貨投入口１６に対応して画像出力受付端末１内部に設けられ、硬貨の入出力を管理する。ビルバリ４６は、紙幣挿入口１７に対応して画像出力受付端末１内部に設けられ、紙幣の入出力を管理する。
【００５８】
レシートジャーナル処理部４７は、レシート取出口１５に対応して画像出力受付端末１内部に設けられ、利用者の徴収金額や注文内容に応じたレシートを印刷する。
【００５９】
プリンタ４８は、印刷物取出口１９に対応して画像出力受付端末１内部に設けられ、印刷物７を印刷する。プリンタ４８は、画像データを印刷する高解像度カラープリンタであり、熱転写プリンタあるいはインクジェット型など、プリントの方式は特に問わない。印刷を行うべく紙は、シート状またはロール状である。
【００６０】
製本機５０は、ローラや搬送路等を有し、プリンタ４８で印刷された印刷物７を所定の製本方法で製本しフォトブック等の製本物を作成して出力する。
【００６１】
なお、プリンタ４８は、画像出力受付端末１内部に設けられ、そこで印刷が行われるが、これに限らず、例えば、通信部３４およびネットワークを介して接続されたプリンタサーバに画像データを転送し、そこで印刷を行わせることも勿論可能である。また、製本機５０も、画像出力受付端末１内部に設けられ、そこで製本が行われるが、これに限らず、例えば、図示せぬ搬送路を介して接続された外部の製本機に印刷物を搬送し、そこで製本を行わせるようにしてもよい。すなわち、画像出力受付端末１と、プリンタ４８、製本機５０はそれぞれ別体であってもよい。
【００６２】
図４は、製本機５０のハードウエアの構成例を示すブロック図である。
【００６３】
製本機５０は、印刷物を折りたたむ折り機構５１、印刷物７をホチキスや製本テープ、背表紙、糊等で綴じる綴じ機構５２、印刷物７を化粧断裁する裁断機構５３等を備えるものを用いることができる。これらの機構としては、既知のものを使用できる。フォトブックの製本方法の詳細については、特開２０１０−１３７５６４号公報等に記載されている通り公知の技術である。
【００６４】
図５は、画像出力受付端末１内のコンピュータ３０の機能構成例を示すブロック図である。図５に示す機能部のうちの少なくとも一部は、図３の制御部３１により画像印刷プログラムが実行されることによって実現される。
【００６５】
入力制御部６１は、各種メディア読取部４１で読み込まれた画像データや動画像データ、および通信部４２で読み込まれた画像データや動画像データの入力を制御する。
【００６６】
表示制御部６２は、入力制御部６１に入力された画像データや動画像データの一覧表示画面、画像データの印刷サービスを利用者に提供するための画像出力サービス案内画面等の各種画面のモニタ４４上への表示を制御する。
【００６７】
画像受付部６３は、モニタ４４に表示されている動画像データの代表画像の一覧画面において、利用者による代表画像の選択を受け付ける。
【００６８】
分割処理部６４は、モニタ４４に表示されている動画像絞り込み方法選択画面において、利用者による絞り込み方法の選択を受け付けると、選択された絞り込み方法によって絞り込まれた動画像データを、所定の分割基準に従って動画ブロックに分割し、動画ブロック毎に代表画像を決定する。分割基準としては、例えば、以下の３つの基準がある。
１．録画時刻の間隔が空くタイミング
２．ズーム等によって画像が大きく変化するタイミング
３．ピントが合うタイミング
【００６９】
つまり、分割処理部６４は、上記３つの分割基準に従って、動画像データの場面が大きく変化する部分（カットまたはカットブレイクという）を検出し、検出したカット毎に動画像データを分割する。カット検出は、隣り合うフレーム間の画像をＭ×Ｎの格子（長方形領域）に区分し、長方形領域ごとの画素値の平均を求め、その平均値の差の絶対値を用いて行うことができ、差の絶対値が大きいとき、その場所がカットであると判定する。そして、カットとカットの間をショットといい、ショット毎に分割したものを動画ブロックという。なお、分割処理は、分割基準に当てはまる静止画像で分割するため、収録時間は動画ブロック毎に異なる。
【００７０】
分割処理部６４は、分割した動画ブロック毎に、各動画ブロックに含まれる複数の静止画像の中から代表画像を決定する。代表画像は、動画ブロックの最初又は最後の画像（分割基準に当てはまる画像）、あるいは、動画ブロックの時間的に真ん中の画像等が考えられる。
【００７１】
紐付け情報管理部６５は、画像受付部６３で受け付けられた動画像データの代表画像の紐付け情報を、動画像データとともにネットワーク５を介して動画像データ保管サーバ３に送信し、そこに保管させるとともに、動画像データおよび紐付け情報の保管場所に関するデータを受信し、管理する。
【００７２】
紐付け情報の保管場所に関するデータとして、例えば、単一のURL、または、単一のURL＋パスワード等が考えられる。
【００７３】
コード化部６６は、紐付け情報管理部６５で管理されている動画像データおよび紐付け情報の保管場所に関するデータをコード化し、コード化した保管場所に関するデータを代表画像データに埋め込む。
【００７４】
課金部６７は、印刷注文に応じた料金を算出し、その算出結果をモニタ４４に表示させ、利用者に支払いを要求する。また課金部６７は、コインメック４５やビルバリ４６の金銭の入出力を管理する。
【００７５】
印刷実行部６８は、課金部６７によって課金処理が完了すると、プリント対象である、コード化した保管場所に関するデータが埋め込まれた代表画像データを印刷データに変換し、印刷を実行する。
【００７６】
図６は、動画像データ保管サーバ３のハードウエアの構成例を示すブロック図である。
【００７７】
動画像データ保管サーバ３は、制御部８１、紐付け情報記憶部８２、通信制御部８３等から構成され、各部はバス８４を介して相互に接続されている。
【００７８】
制御部８１は、CPU、ROM、RAM等で構成され、ROMに格納されたプログラムに従って、バス８４を介して接続された各部を駆動制御する。制御部８１は、通信制御部８３を介して画像出力受付端末１から受信した動画像データおよび紐付け情報を紐付け情報記憶部８２に記憶させる。制御部８１は、紐付け情報記憶部８２に記憶された動画像データおよび紐付け情報の保管場所に関するデータを、通信制御部８３を介して画像出力受付端末１に返信する。
【００７９】
紐付け情報記憶部８２は、大容量のHDD（ハードディスクドライブ）であり、制御部８１の制御の下、通信制御部８３を介して受信した動画像データおよび紐付け情報を記憶する。
【００８０】
通信制御部８３は、通信制御装置、通信ポート等を有し、動画像データ保管サーバ３とネットワーク５間の通信を媒介する通信インターフェースであり、ネットワーク５を介して、動画像データ保管サーバ３と画像出力受付端末１間の通信制御を行う。
【００８１】
なお、画像データ保管サーバ２は、基本的には、図６に示した動画像データ保管サーバ３の構成例と同様であるが、紐付け情報記憶部８２に代わり、画像データ記憶部を有する。
【００８２】
図７は、携帯端末４のハードウエアの構成例を示すブロック図である。
【００８３】
携帯端末４は、制御部９１、撮影部９２、出力部９３、通信制御部９４等から構成され、各部はバス９５を介して相互に接続されている。
【００８４】
制御部９１は、CPU、ROM、RAM等で構成され、ROMに格納されたプログラムに従って、バス９５を介して接続された各部を駆動制御する。制御部９１は、撮影部９２で撮影された印刷物７上の、コード化した保管場所に関するデータを読み取り、コード化した保管場所に関するデータに基づいて、通信制御部９４を介して動画像データ保管サーバ３にアクセスし、動画像データおよび紐付け情報を受信する。制御部９１は、受信した動画像データを、紐付け情報に基づいて出力部９３に出力する。
【００８５】
撮影部９２は、デジタルカメラ等からなり、制御部９１の制御の下、印刷物７上に印刷された、コード化した保管場所に関するデータを撮影する。出力部９３は、ディスプレイやスピーカ等からなり、制御部９１の制御の下、紐付け情報に基づく動画像（音声を含む）を再生する。
【００８６】
通信制御部９４は、通信制御装置、通信ポート等を有し、携帯端末４とネットワーク５間の通信を媒介する通信インターフェースであり、ネットワーク５を介して、携帯端末４と、画像出力受付端末１、画像データ保管サーバ２、動画像データ保管サーバ３間の通信制御を行う。
【００８７】
次に、図８のフローチャートを参照して、画像出力受付端末１の処理について説明する。この処理は、画像出力受付端末１が起動中、常に実行されているものである。なお、この処理では、特に動画像データに着目して説明するが、もちろん、静止画像データについても通常の印刷処理が行われる。また、画像出力受付端末１の起動中に表示される各画面を総称して、本発明では「画像出力サービス案内画面」と呼ぶ。
【００８８】
ステップＳ１において、画像出力受付端末１の表示制御部６２は、タッチパネル付ディスプレイ１１（モニタ４４）に動画像入力方法選択画面（図示せず）を表示し、所定の動画像入力方法が選択されるまで待機する。
【００８９】
利用者は、図示せぬ動画像入力方法選択画面において、利用する動画像入力方法を選択することで、次の画像出力サービス案内画面へと進むことができる。
【００９０】
なお、動画像入力方法としては、以下の４つの方法がある。
１．記憶媒体６を挿入し、そこから動画像データを読み込む。
２．ネットワーク５を介して画像データ保管サーバ２から動画像データを読み込む。
３．近距離通信によって携帯端末４から読み込む。
４．ネットワーク５を介して画像データ保管サーバ２から携帯端末４がダウンロードし、更に、近距離通信によって携帯端末４から読み込む。
【００９１】
ステップＳ１において、画像出力受付端末１の表示制御部６２は、利用者により、図示せぬ動画像入力方法選択画面で所定の動画像入力方法が選択されたことを検知すると、ステップＳ２に進み、動画像絞り込み方法選択画面（図示せず）を表示し、所定の動画像絞り込み方法（フォルダから絞り込む、または日付から絞り込む等）が選択されるまで待機する。
【００９２】
利用者は、図示せぬ動画像絞り込み方法選択画面において、利用する動画像絞り込み方法を選択することで、次の画像出力サービス案内画面へと進むことができる。なお、このとき、絞り込みの結果、複数の動画像データが選択されてもよい。
【００９３】
ステップＳ２において、画像出力受付端末１の表示制御部６２は、利用者により、図示せぬ動画像絞り込み方法選択画面で所定の動画像絞り込み方法が選択されたことを検知すると、ステップＳ３に進む。
【００９４】
ステップＳ３において、画像出力受付端末１の分割処理部６４は、ステップＳ２の処理で検知された動画像絞り込み方法によって絞り込まれた動画像データを、上述したような分割基準に従って動画ブロックに分割する。次に、画像出力受付端末１の分割処理部６４は、分割した動画ブロック毎に、各動画ブロックに含まれる複数の静止画像の中から代表画像を決定する。そして、画像出力受付端末１の表示制御部６２は、分割処理部６４によって決定された動画ブロック毎の代表画像を用いて画像一覧画面を表示する。
【００９５】
図９は、画像一覧画面１００の表示例を示す図である。
【００９６】
図９に示すように、画像一覧画面１００には、絞り込み方法により絞り込まれた動画像データが動画ブロックに分割され、その動画ブロック毎に代表画像が決定されたものが、代表画像Ｐ１〜Ｐ４として表示されている。つまり、代表画像Ｐ１〜Ｐ４には、それぞれ、動画ブロック（複数の静止画像）が紐付けられている。
【００９７】
代表画像Ｐ１〜Ｐ４の左右には、それぞれ、「前へ」ボタンＡ１１、Ａ２１、Ａ３１、Ａ４１、「次へ」ボタンＡ１２、Ａ２２、Ａ３２、Ａ４２が表示されている。
【００９８】
例えば、利用者は、表示されている代表画像Ｐ１〜Ｐ４が気に入らない場合、「前へ」ボタンＡ１１、Ａ２１、Ａ３１、Ａ４１、または、「次へ」ボタンＡ１２、Ａ２２、Ａ３２、Ａ４２を操作することで、表示中の代表画像に紐付けられた前後のフレームの画像に切り替えることができ、所望の代表画像を選択することができる。
【００９９】
代表画像Ｐ１〜Ｐ４の下方には、動画像データの先頭から終点までの全再生時間に対する分割割合がバー表示領域Ｍとして表示されている。バー表示領域Ｍにおいて、最左端が動画像データの先頭、最右端が動画像データの終点とされ、代表画像Ｐ１を含む動画ブロックの収録時間が表示領域Ｍ１として示され、代表画像Ｐ２を含む動画ブロックの収録時間が表示領域Ｍ２として示され、代表画像Ｐ３を含む動画ブロックの収録時間が表示領域Ｍ３として示され、代表画像Ｐ４を含む動画ブロックの収録時間が表示領域Ｍ４として示されている。
【０１００】
利用者は、図９に示す画像一覧画面１００において、プリント対象となる代表画像を選択することで、次の画像出力サービス案内画面へと進むことができる。
【０１０１】
ステップＳ４において、画像出力受付端末１の画像受付部６３は、利用者により、画像一覧画面１００でプリント対象となる代表画像が選択されたことを検知すると、ステップＳ５に進む。
【０１０２】
ステップＳ５において、画像出力受付端末１の表示制御部６２は、プリント対象画像の選択終了であるか否かを判定し、まだ利用者がプリント対象画像の選択中であると判定した場合、ステップＳ４に戻り、上述した処理を繰り返し実行する。そして、ステップＳ５において、画像出力受付端末１の表示制御部６２は、プリント対象画像の選択終了であると判定した場合、ステップＳ６に進む。
【０１０３】
ステップＳ６において、画像出力受付端末１の表示制御部６２は、ステップＳ４の処理で選択されたプリント対象画像に対する再生動画範囲設定画面を表示すする。
【０１０４】
図１０は、再生動画範囲設定画面１１０の表示例を示す図である。
【０１０５】
図１０に示すように、再生動画範囲設定画面１１０には、選択画像一覧表示領域１１１が表示されており、その選択画像一覧表示領域１１１に、選択されたプリント対象画像Ｐ１１〜Ｐ１４が表示されている。選択画像一覧表示領域１１１の左右には、「前へ」ボタンＢ１、「次へ」ボタンＢ２が表示されている。
【０１０６】
例えば、利用者は、選択画像一覧表示領域１１１に表示しきれない他のプリント対象画像を表示したい場合、「前へ」ボタンＢ１、または、「次へ」ボタンＢ２を操作することで、他のプリント対象画像の表示に切り替えることができる。
【０１０７】
選択画像一覧表示領域１１１の下方には、「おまかせ」ボタン１１２、「編集する」ボタン１１３が表示されている。
【０１０８】
例えば、利用者が、プリント対象画像Ｐ１１〜Ｐ１４の中から１つを選択し、「おまかせ」ボタン１１２を押下した場合、画像出力受付端末１の紐付け情報管理部６５は、プリント対象画像の前後１５秒、あるいは、プリント対象画像から３０秒など、予め規定した条件に基づいて、開始位置および終了位置を機械的に決定する。ただし、他の動画ブロックにまたがることはできない。
【０１０９】
また例えば、利用者が、プリント対象画像Ｐ１１〜Ｐ１４の中から１つを選択し、「編集する」ボタン１１３を押下した場合、選択したプリント対象画像を含む動画ブロックの開始位置の画像Ｐ２１、終了位置の画像Ｐ２２が表示され、画像Ｐ２１、Ｐ２２の左右に、それぞれ、「前へ」ボタンＢ１１、Ｂ２１、「次へ」ボタンＢ１２、Ｂ２２が表示される。これにより、利用者は、「前へ」ボタンＢ１１、Ｂ２１、または、「次へ」ボタンＢ１２、Ｂ２２を操作することで、動画ブロックの開始位置および終了位置を自由に決定することができる。または、所定時間（例えば３０秒）を設定し、終了位置のみ決定するようにしてもよい。なお、この場合も他の動画ブロックにまたがることはできない。
【０１１０】
このように、利用者は、「おまかせ」ボタン１１２、あるいは「編集する」ボタン１１３を押下して再生動画範囲を設定し、「ＯＫ」ボタン１１４を押下することで、次の画像出力サービス案内画面へと進むことができる。
【０１１１】
図８の説明に戻る。ステップＳ７において、画像出力受付端末１の紐付け情報管理部６５は、再生動画範囲設定画面１１０上で、再生動画範囲の設定を検知し、プリント対象画像と再生動画範囲を紐付ける。ステップＳ８において、画像出力受付端末１の表示制御部６２は、利用者により購入ボタン（図示せず）が選択されたことを検知すると、ステップＳ９に進む。
【０１１２】
ステップＳ９において、画像出力受付端末１の紐付け情報管理部６５は、ステップＳ７の処理で紐付けられた再生動画範囲を紐付け情報として、動画像データとともに、ネットワーク５を介して動画像データ保管サーバ３に送信する。ここで送信する動画像データは、動画像データ全体であって、紐付け情報は、プリント対象画像毎の再生動画範囲を示す情報である。
【０１１３】
ステップＳ１０において、画像出力受付端末１の紐付け情報管理部６５は、動画像データ保管サーバ３からネットワーク５を介して返信されてきた、動画像データおよび紐付け情報の保管場所に関するデータを受信する。つまり、紐付け情報は、プリント対象画像毎であるため、プリント対象画像毎に、動画像データおよび紐付け情報の保管場所に関するデータを受信する。
【０１１４】
ステップＳ１１において、画像出力受付端末１のコード化部６６は、ステップＳ１０の処理で受信された動画像データおよび紐付け情報の保管場所に関するデータをコード化し、コード化した保管場所に関するデータを印刷データに埋め込む。コード化した保管場所に関するデータは、プリント対象画像の近くに埋め込む。
【０１１５】
ステップＳ１２において、画像出力受付端末１の課金部６７は、印刷注文に応じた課金処理を実行する。ステップＳ１３において、画像出力受付端末１の印刷実行部６８は、ステップＳ１１の処理で、コード化した保管場所に関するデータが埋め込まれた印刷データをプリンタ４８に送信し、印刷を指示する。プリンタ４８は、コード化した保管場所に関するデータが埋め込まれたプリント対象画像の印刷を実行する。そして印刷された印刷物７は、印刷物取出口１９から排出され、利用者に提供される。また、複数のプリント対象画像があり、「フォトブック」が印刷注文された場合には、製本機５０にて製本処理が行われた後、利用者に提供される。
【０１１６】
そして、印刷終了後、画像出力受付端末１の制御部３１は、図８のステップＳ１に戻り、動画像入力方法選択画面を再び表示し、待機状態となる。
【０１１７】
利用者は、提供された印刷物７上に印刷されている、コード化した保管場所に関するデータを携帯端末４に内蔵されたデジタルカメラで撮影してコードを読み取り、動画像データおよび紐付け情報の保管場所に関するデータを取得する。そして、保管場所に関するデータに基づいて、携帯端末４から、ネットワーク５を介して動画像データ保管サーバ３にアクセスし、動画像データを受信し、出力（再生や表示）することができる。
【０１１８】
図１１は、動画像データ保管サーバ３の処理について説明するフローチャートである。
【０１１９】
ステップＳ２１において、動画像データ保管サーバ３の通信制御部８３は、制御部８１の制御の下、画像出力受付端末１からネットワーク５を介して動画像データおよび紐付け情報を受信する。ステップＳ２２において、動画像データ保管サーバ３の紐付け情報記憶部８２は、制御部８１の制御の下、ステップＳ２１の処理で受信した動画像データおよび紐付け情報を記憶する。
【０１２０】
ステップＳ２３において、動画像データ保管サーバ３の制御部８１は、紐付け情報記憶部８２に記憶された動画像データおよび紐付け情報の保管場所に関するデータを、通信制御部８３およびネットワーク５を介して画像出力受付端末１に返信する。
【０１２１】
このような処理により、画像出力受付端末１は、動画像データおよび紐付け情報の保管場所に関するデータを受信し、コード化した保管場所に関するデータをプリント対象画像の近くに埋め込み、印刷物７を印刷することができる。
【０１２２】
図１２は、携帯端末４の処理について説明するフローチャートである。
【０１２３】
ステップＳ３１において、携帯端末４の制御部９１は、利用者からの指示に応じて、撮影部９２に、印刷物７上に印刷されている、コード化した保管場所に関するデータを撮影させる。携帯端末４の制御部９１は、撮影部９２で撮影された、コード化した保管場所に関するデータから、動画像データおよび紐付け情報の保管場所に関するデータを読み取る。
【０１２４】
ステップＳ３２において、携帯端末４の制御部９１は、ステップＳ３１の処理で読み取られた保管場所に関するデータに基づいて、通信制御部９４およびネットワーク５を介して動画像データ保管サーバ３にアクセスする。
【０１２５】
ステップＳ３３において、携帯端末４の通信制御部９４は、動画像データ保管サーバ３の紐付け情報記憶部８２からネットワーク５を介して、動画像データおよび紐付け情報を受信する。ステップＳ３４において、携帯端末４の出力部９３は、制御部９１の制御の下、受信した動画像データを、紐付け情報に基づいて出力（再生、表示）する。
【０１２６】
［本発明の第１の実施の形態における効果］
１．プリント対象として動画像データの代表画像を選択し、選択された代表画像毎に動画像データの再生範囲を紐付け、その紐付け情報と動画像データの保管場所に関するデータをコード化し、コード化した保管場所に関するデータを代表画像に埋め込むことができる。これにより、１回の印刷注文で、容易に複数の動画像データを紐付けることができる。
２．利用者は、印刷物７上に印刷された、コード化した保管場所に関するデータを撮影することにより、動画像データおよび紐付け情報の保管場所に関するデータを読み取り、動画像データおよび紐付け情報を動画像データ保管サーバ３から受信し、出力することができる。
３．複数の代表画像を用いてフォトブックを作成することができるため、代表画像を自分好みのスピードで閲覧でき、それら代表画像に紐付く動画像データの中身を知る手がかりになる。
４．動画像データのうち、所望のシーンの代表画像のみを印刷するようにしたので、余計なシーンを省いて、お気に入りのシーンのみ手軽に再生することができる。
【０１２７】
［本発明の第２の実施の形態］
次に、本発明の第２の実施の形態について説明する。
【０１２８】
第２の実施の形態において、基本的なシステム構成（図１）、画像出力受付端末１の構成（図２〜図５）、動画像データ保管サーバ３の構成（図６）、および携帯端末４の構成（図７）は、第１の実施の形態と同様である。第１の実施の形態では、動画像データおよび紐付け情報を、ネットワーク５を介して動画像データ保管サーバ３にアップロードするようにしたが、第２の実施の形態では、動画像データおよび紐付け情報を、印刷物７に添付されるメモリチップに記憶させることを特徴とするものである。
【０１２９】
第２の実施の形態で用いられるメモリチップには、制御部、記憶部、近距離通信部（例えば、ＴｒａｎｓｆｅｒＪｅｔ（トランスファージェット））が少なくとも備えられている。また画像出力受付端末１および携帯端末４も同様の近距離通信部を備えている。また印刷物７（フォトブック）の最終ページにメモリチップ収納部を設け、そこにメモリチップを収納する。このメモリチップ収納部が設けられる最終ページは、破損しにくいように厚紙等でメモリチップを保護する。
【０１３０】
図１３は、第２の実施の形態における、画像出力受付端末１の処理を説明するフローチャートである。なお、ステップＳ４１〜ステップＳ４８までの処理は、上述した第１の実施の形態における処理のステップＳ１〜ステップＳ８の処理と同様であるため、その説明は省略する。
【０１３１】
ステップＳ４９において、画像出力受付端末１の紐付け情報管理部６５は、ステップＳ４７（ステップＳ７）の処理で紐付けられた再生動画範囲を紐付け情報として、動画像データとともに、近距離通信部を介してメモリチップの記憶部に書き込む。
【０１３２】
ステップＳ５０において、画像出力受付端末１のコード化部６６は、ステップＳ４９の処理でメモリチップに書き込んだ動画像データおよび紐付け情報のメモリチップの記憶部における保管場所に関するデータをコード化し、コード化した保管場所に関するデータを印刷データに埋め込む。
【０１３３】
ステップＳ５１において、画像出力受付端末１の課金部６７は、印刷注文に応じた課金処理を実行する。ステップＳ５２において、画像出力受付端末１の印刷実行部６８は、ステップＳ５０の処理で、コード化した保管場所に関するデータが埋め込まれた印刷データをプリンタ４８に送信し、印刷を指示する。プリンタ４８は、コード化した保管場所に関するデータが埋め込まれたプリント対象画像の印刷を実行する。製本機５０は、印刷された印刷物７に、メモリチップ収納部が設けられた最終ページを追加し、フォトブック作成のための製本処理を行う。そして、製本されたフォトブックが利用者に提供される。
【０１３４】
なお、画像出力受付端末１の製本機５０が、製本時にメモリチップをメモリチップ収納部に収納してもよいし、あるいは、フォトブック本体とメモリチップを別々に利用者に提供し、利用者がメモリチップ収納部にメモリチップを収納してもよい。
【０１３５】
利用者は、提供されたフォトブックに印刷されている、コード化した保管場所に関するデータを携帯端末４に内蔵されたデジタルカメラで撮影してコードを読み取り、保管場所に関するデータを取得する。そして、携帯端末４から、メモリチップに保管場所に関するデータを送信し、メモリチップから紐付け情報および動画像データを受信し、
出力（再生や表示）することができる。
【０１３６】
図１４は、携帯端末４の処理について説明するフローチャートである。
【０１３７】
ステップＳ６１において、携帯端末４の制御部９１は、利用者からの指示に応じて、撮影部９２に、印刷物７上に印刷されている、コード化した保管場所に関
するデータを撮影させる。携帯端末４の制御部９１は、撮影部９２で撮影された、コード化した保管場所に関するデータから、保管場所に関するデータを読み取る。
【０１３８】
ステップＳ６２において、携帯端末４の制御部９１は、ステップＳ６１の処理で読み取られた保管場所に関するデータを、近距離通信部を介してメモリチップの制御部に送信する。ステップＳ６３において、携帯端末４の制御部９１は、メモリチップの制御部によって記憶部から読み出された紐付け情報および動画像データを、近距離通信部を介して受信する。ステップＳ６４において、携帯端末４の出力部９３は、制御部９１の制御の下、受信した動画像データを紐付け情報に基づいて出力（再生、表示）する。
【０１３９】
［本発明の第２の実施の形態における効果］
以上のように、利用者は、印刷物７上に印刷された、コード化した保管場所に関するデータを撮影することにより、コード化した保管場所に関するデータから保管場所に関するデータを読み取り、読み取った保管場所に関するデータに基づき、紐付け情報および動画像データをメモリチップから受信し、出力することができる。
【０１４０】
［変形例］
１．フォトブックに印刷されている画像と紐付ける動画像データは、適宜変更できるようにしても良い。例えば、ユーザが、出来上がったフォトブックから、コード化した保管場所に関するデータを撮影し、読み取ったコードに基づいて動画を確認したところ、紐付けられた動画像データの開始位置と終了位置を変更したくなったとする。その場合、再生動画範囲の変更を受け付けて、紐付け情報を変更し、変更された紐付け情報を再びコード化し、コード化した保管場所に関するデータを出力する。コード化した保管場所に関するデータは、例えばＱＲコード（登録商標）であれば、シールタイプとしてプリントし、ユーザが自分でフォトブックに貼り付けても良い。
【０１４１】
２．例えば、利用者が、出来上がったフォトブックを他の人に見せたところ、同じ物が欲しいと言われることも考えられる。しかし、本実施の形態によってフォトブックを作成した場合、ユーザもかなり労力がかかる。そこで、全く同じフォトブックを容易に注文できるように、印刷データ及び動画像データを画像出力受付端末１に保管しておき、その保管場所をコード化し、コード化した保管場所に関するデータをフォトブックの裏表紙などに出力しても良い。そして、利用者は、全く同じフォトブックを注文したい場合、携帯端末４等で、コード化した保管場所に関するデータを読み取り、読み取ったコードを画像出力受付端末１に送信すると、画像出力受付端末１は、コードに基づいて保管しておいた印刷データ及び動画像データを読み出し、同様のフォトブックを作成することができる。
【０１４２】
以上、添付図面を参照しながら、本発明に係る画像出力受付端末等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１４３】
１………画像出力受付端末
３………動画像データ保管サーバ
４………携帯端末
１１………タッチパネル付ディスプレイ
６１………入力制御部
６２………表示制御部
６３………画像受付部
６４………分割処理部
６５………紐付け情報管理部
６６………コード化部
８１………制御部
８２………紐付け情報記憶部
９１………制御部
９２………撮影部
９３………出力部
【図１】
0005953821.tif 000002
【図２】
0005953821.tif 000003
【図３】
0005953821.tif 000004
【図４】
0005953821.tif 000005
【図５】
0005953821.tif 000006
【図６】
0005953821.tif 000007
【図７】
0005953821.tif 000008
【図８】
0005953821.tif 000009
【図９】
0005953821.tif 000010
【図１０】
0005953821.tif 000011
【図１１】
0005953821.tif 000012
【図１２】
0005953821.tif 000013
【図１３】
0005953821.tif 000014
【図１４】
0005953821.tif 000015